(57)【要約】【課題】複雑な構成が必要なく、コストの増加や重量増加もないエレベータの呼び登録を可能とする。【解決手段】エレベータの乗り場付近には、ショッピングカート５があり、呼び登録部６が取付けられている自己発電スイッチ部７を利用者が操作することで、操作するエネルギーにより発電し、パワーマネージメント部８により、無線通信部９へ電力供給を行う。電力供給された無線通信部９より、エレベータの乗り場付近にあるエレベータ受信部１０へ信号が送信される。エレベータ受信部１０は、無線通信部１１より、信号を受け取り、かご呼び登録部にてエレベータの呼びが登録され、制御部へ送信されエレベータを動作させることができる。【選択図】図１
2016023081.tif 000002
【特許請求の範囲】
【請求項１】
かご呼び信号に基づいてかごを移動させるエレベータと、
エレベータの呼び登録を行える手段と呼び登録信号を無線により送信する手段を設けたカートを有し、
上記カートへの電源供給手段として、自己発電型のスイッチをカートに搭載し、利用者がスイッチを操作することで、発電し、発電した電力によりエレベータの呼び登録信号を無線送信することを特徴とするエレベータの呼び登録装置。
【請求項２】
上記請求項1のカートへの電源供給手段として、エレベータホール床面の一部が凹凸になっており、その凹凸部分をカードが走行する際に発生する振動エネルギーを電気エネルギー変換することを特徴とする請求項１に記載のエレベータの呼び登録装置。
【請求項３】
上記請求項１のカートへの電源供給手段として、カートに電波エネルギーを電気エネルギーに変換する装置をカートに有し、エレベータホール付近には、電波が供給されており、利用者がエレベータホール付近に近付くことで、電波エネルギーを電気エネルギーに変換し、電力を得ることを特徴とする請求項１に記載のエレベータの呼び登録装置。
【請求項４】
上記請求項１のカートへの電源供給手段として、屋外の太陽光をエレベータホールまで照射する装置と、太陽光発電装置を有するカートを有し、エレベータホール内に照射された太陽光から電力を得ることを特徴とする請求項１に記載のエレベータの呼び登録装置。
【発明の詳細な説明】
【技術分野】
【０００１】
本発明は、エレベータの呼び登録装置に関するものである。
【背景技術】
【０００２】
ショッピングカートなどの運搬装置を手で押しながらエレベータを利用する際、利用者の両手が塞がっているため、エレベータの呼び登録を行いにくいという課題があった。
【０００３】
上記の課題を解決するため、ショッピングカートに制御装置を設けて赤外線で呼び登録を行えるようにする方法があげられている（例えば、特許文献１参照）。
【０００４】
また、ショッピングカートの電源については、車輪の回転で発電する技術があげられる（例えば、特許文献２、３参照）。
【先行技術文献】
【特許文献】
【０００５】
【特許文献１】特開２０１０−６４８６８号公報
【特許文献２】特開２００９−１４６２３０号公報
【特許文献３】特開２０１０−２０４９９９号公報
【発明の概要】
【発明が解決しようとする課題】
【０００６】
上記特許文献１の場合、電源の確保については明記されていない。また電源をバッテリーによって確保する場合は、バッテリー残量等の管理を行う必要があり、多数のカートを管理するのは困難である。更にバッテリー搭載により、重量増加が懸念される。また、特許文献２、３の様にカートの車輪によって発電させて電力を得る方法では、機器の構成が複雑となり、高コストとなる。また、常時発電する必要はないが、通常の使用時に車輪にて発電を行う構造では、カートを移動する度に発電制動力が発生するため、その分だけカートを押す力が増加してしまうことが懸念される。
【０００７】
本発明の目的は、運搬装置およびエレベータの制御装置の重量増加やコストアップを伴うことなく、利用者によるエレベータ操作を可能とすることにある。
【課題を解決するための手段】
【０００８】
本発明は、バッテリー等の電源なしで、運搬装置へ利用者が何らかの操作、動作を加えることで発電又は給電を行い、運搬装置に搭載された呼び登録部を利用者が操作し、無線送信または赤外線送信により力―卜の近くで稼働しているエレベータの操作を行えることを特徴としている。
【発明の効果】
【０００９】
本発明によれば、運搬装置に対して利用者の操作、動作により発電または給電することができるため、運搬装置に電源設備や複雑な発電設備を搭載することなく、電力を得ることができ、そのため、重量増加やコストアップすることなく、エレベータ操作を可能とし、利用者の利便性の向上を図ることができる。
【図面の簡単な説明】
【００１０】
【図１】請求項１の構成を示したエレベータ制御装置の全体システム構成図である。
【図２】請求項２の構成を示したエレベータ制御装置の全体システム構成図である。
【図３】請求項３の構成を示したエレベータ制御装置の全体システム構成図である。
【図４】請求項４の構成を示したエレベータ制御装置の全体システム構成図である。
【発明を実施するための形態】
【００１１】
以下、本発明の請求項１に係わる実施例１について図１を用いて説明する。
【００１２】
図１に本請求項１の全体システム構成図を示す。１は巻上機、２は釣合いおもりで、３は乗りかご、４はロープである。また、２１はエレベータ制御部を示す。５はショッピングカート（運搬装置）を示し、６はショッピングカート５に取付けられている呼び登録部である。また、呼び登録部６は、自己発電スイッチ部７とパワーマネージメント部８と無線通信部９からなる。
【００１３】
１０はエレベータ受信部であり、無線通信部１１とかご呼び登録部１２からなる。
【００１４】
上記図１の構成における実施例について以下説明する。
【００１５】
図１のロープ式エレベータは、エレベータ制御部２１により、巻上機１を回転させることで、ロープ４に繋がれたかご３と釣合いおもり２を上下に移動させることができる。
【００１６】
ショッピングカート５を使用している利用者が、ショッピングカート５とともに他の階へ移動する場合を想定する。
【００１７】
利用者は、ショッピングカート５に取り付けられた呼び登録部６の自己発電スイッチ部７を利用者が操作することで、操作する力学的なエネルギーにより発電し、パワーマネージメント部８により、無線通信部９へ電力供給を行う。無線通信部９より、エレベータの乗り場付近にあるエレベータ受信部１０へ呼び登録の信号が送信される。エレベータ受信部１０は、無線通信部１１にて、呼び登録の信号を受け取り、かご呼び登録部にてエレベータの呼びが登録され、エレベータ制御部２１へ送信されエレベータを動作させることができる。
【００１８】
次に、請求項２の係わる発明を図２に示す。
【００１９】
本発明では、エレベータホール付近の一部の床面に振動発生部１３が設置されている。振動発生部１３は、凹凸状のものであり、ショッピングカート５が、振動発生部１３の上を走行すると、ショッピングカート５全体が振動する。
ショッピングカート５全体が振動することにより、呼び登録部６内の振動エネルギー発電部１４により、発電を行う。この振動エネルギー発電部１４は、例えば、コイルと永久磁石の組合せにより、電磁誘導により発電を行うものが考えられる。上記により、発電した電力により、パワーマネージメント部８、無線通信部９を介して、実施例１同様にエレベータ受信部１０ヘエレベータ呼び登録信号を送信することでエレベータを動作させることができる。
【００２０】
次に、請求項３に係わる発明を図３に示す。１５は電波発生装置であり、エレベータホール付近に電波を供給することを目的にエレベータホールの天井付近に設定している。そして、ショッピングカート５に取り付けられた、呼び登録部６の内部にある電波エネルギー回収部により、電波エネルギーを回収し、電気エネルギーに変換する。上記により、発電した電力により、パワーマネージメント部８、無線通信部９を介して、実施例１同様にエレベータを動作させることができる。電波供給は、エレベータホール付近のみに送られるため、無駄に電力を消費することがない。また、ショッピングカート５が複数台エレベータホール付近にあったとしても、複数台同時にエネルギーを供給することができる。
【００２１】
次に、請求項４に係わる発明を図４に示す。１７は屋外に設定された太陽光集光装置であり、太陽光集光装置１７により集光した太陽光をダクト１８を通して、太陽光供給部１９により、エレベータホールに太陽光を供給している。そして、ショッピングカート５に取り付けられた呼び登録部６の太陽光発電部２０により、発電を行う。上記により、発電した電力により、パワーマネージメント部８、無線通信部９を介して、実施例１同様にエレベータを動作させることができる。また請求項３に係わる実施例同様に、複数台同時にエネルギーを供給することができる。
【符号の説明】
【００２２】
１    巻上機
２    釣合いおもり
３    乗りかご
４    ロープ
５    ショッピングカート
６    呼び登録部
７    自己発電スイッチ部
８    パワーマネージメント部
９    無線通信部（送信側）
１０  エレベータ受信部
１１  無線通信部（送信側）
１２  かご呼び登録部
１３  振動発生部
１４  振動エネルギー発電部
１５  電波供給部
１６  電波エネルギー回収部
１７  太陽光集光装置
１８  ダクト
１９  太陽光供給部
２０  太陽光発電部
２１  エレベータ制御部
【図１】
2016023081.tif 000003
【図２】
2016023081.tif 000004
【図３】
2016023081.tif 000005
【図４】
2016023081.tif 000006